(57)【要約】  撮像部（１０１）がユーザの撮像指示以外に自動で連続して撮像した静止画の画像データが記憶される仮画像蓄積部（１０４）と、音声取得部（１０２）が出力する音声データに基づく音声情報と遅延時間情報とが関連付けられた撮像タイミングデータが記憶された撮像タイミングデータ記憶部（２０１）と、前記音声データに基づいて、前記複数の撮像タイミングデータの中から、音声認識処理によって前記音声データに対応する音声情報が含まれる撮像タイミングデータを指定する撮像タイミングデータ指定部（２０２）と、前記音声データから音声の開始、音声の終了などを示す音声イベントを検出する音声イベント検出部（２０３）と、前記音声イベントと前記指定された前記撮像タイミングデータの遅延時間に基づき、前記仮画像蓄積部の中から前記音声イベントより前の時刻に撮像された静止画を選択する仮画像選択部（２０４）と、を含む撮像装置（１０）を構成する。
2013102979.tif 000002
【特許請求の範囲】
【請求項１】
取得した音声を音声データとして出力する音声取得部と、
ユーザの撮像指示により静止画を撮像する機能と、ユーザの撮像指示以外に自動で静止画を撮像する機能と、を有する撮像部と、を備える撮像装置であって、
前記撮像部が自動で連続して撮像した静止画の画像データが記憶される仮画像蓄積部と、
音声情報と遅延時間情報とが関連付けられた撮像タイミングデータが記憶された撮像タイミングデータ記憶部と、
前記音声取得部が出力する前記音声データに基づいて、前記撮像タイミングデータ記憶部に記憶された複数の撮像タイミングデータの中から、前記音声取得部が出力する前記音声データに対応する音声情報が含まれる撮像タイミングデータを指定する撮像タイミングデータ指定部と、
前記音声データから音声の開始、音声の終了、音声認識処理の開始、音声認識処理の終了の何れかを示す音声イベントを検出する音声イベント検出部と、
前記音声イベントと前記撮像タイミングデータ指定部により指定された前記撮像タイミングデータの遅延時間に基づき、前記仮画像蓄積部の中から前記音声イベントより前の時刻に撮像された静止画を選択する仮画像選択部と、
を備えることを特徴とする撮像装置。
【請求項２】
前記音声イベント検出部は前記音声データから音声の開始または終了を示す音声イベントを検出することを特徴とする請求項１に記載の撮像装置。
【請求項３】
前記撮像部が撮像する静止画を表示する画像表示部と、
前記撮像部が撮像する静止画を記憶する画像記憶部と、
をさらに備えることを特徴とする請求項１又は請求項２に記載の撮像装置。
【請求項４】
前記画像表示部は、前記仮画像蓄積部に記憶される静止画のうち、前記仮画像選択部が選択した静止画と、前記仮画像選択部が選択した静止画が撮像された時刻の前後の時刻に撮像された静止画と、を表示することを特徴とする請求項３に記載の撮像装置。
【請求項５】
前記画像記憶部は、前記画像表示部が表示する静止画の中からユーザが指定した静止画の画像データを記憶することを特徴とする請求項３又は請求項４に記載の撮像装置。
【請求項６】
前記画像表示部が表示する静止画の中からユーザが指定した静止画が撮像された時刻と、前記音声イベント検出部によって検出された音声イベントと、の発生時間差である遅延時間を計測する遅延時間計測部と、
前記遅延時間計測部によって計測された遅延時間に関する遅延時間情報と、前記音声取得部が出力する前記音声データに基づく音声情報とを関連付けた撮像タイミングデータを生成する撮像タイミングデータ生成部と、を備え、
前記撮像タイミングデータ記憶部は、前記撮像タイミングデータ生成部が生成する前記撮像タイミングデータが記憶されることを特徴とする請求項１から請求項５の何れか１項に記載の撮像装置。
【請求項７】
前記撮像部のユーザの撮像指示による撮像の撮像開始イベントを検出する撮像開始イベント検出部と、
前記撮像開始イベント検出部によって検出された撮像開始イベントと、前記音声イベント検出部によって検出された音声イベントと、の発生時間差である遅延時間を計測する遅延時間計測部と、
前記遅延時間計測部によって計測された遅延時間に関する遅延時間情報と、前記音声取得部が出力する前記音声データに基づく音声情報とを関連付けた撮像タイミングデータを生成する撮像タイミングデータ生成部と、を備え、
前記撮像タイミングデータ記憶部は、前記撮像タイミングデータ生成部が生成する前記撮像タイミングデータが記憶されることを特徴とする請求項１から請求項５の何れか１項に記載の撮像装置。
【請求項８】
前記音声イベント検出部が検出する前記音声イベントと、前記撮像タイミングデータ指定部により指定された前記撮像タイミングデータの遅延時間とに基づき、前記撮像部の撮像タイミングを設定する撮像動作設定部、を備えることを特徴とする請求項１から請求項７の何れか１項に記載の撮像装置。
【請求項９】
前記撮像動作設定部は、前記撮像タイミングを前記音声イベントより後の時刻にタイミングを設定することを特徴とする請求項８に記載の撮像装置。
【請求項１０】
前記撮像動作設定部が設定する前記撮像タイミングにしたがって前記撮像部が撮像したデータが前記画像記憶部に保存されなかった場合、前記撮像タイミングデータ指定部によって指定された前記撮像タイミングデータに含まれる遅延時間情報を修正する遅延時間修正部を備えることを特徴とする請求項８又は請求項９に記載の撮像装置。
【請求項１１】
取得した音声を音声データとして出力する音声取得部と、ユーザの撮像指示により静止画を撮像する機能を有する撮像部と、を備える撮像装置に組込まれる情報処理装置であって、
前記音声取得部から出力される音声データから音声の開始または終了を示す音声イベントを検出する音声イベント検出部と、
ユーザの撮像指示による撮像部の撮像開始イベントを検出する撮像開始イベント検出部と、
撮像開始イベント検出部によって検出された撮像開始イベントと、音声イベント検出部によって検出された音声イベントと、の発生時間差である遅延時間を計測する遅延時間計測部と、
遅延時間計測部によって計測された遅延時間に関する遅延時間情報と、音声取得部が出力する音声データに基づく音声情報とを関連付けた撮像タイミングデータを生成する撮像タイミングデータ生成部と、
前記撮像タイミングデータ生成部によって生成された撮像タイミングデータが記憶される撮像タイミングデータ記憶部と、
を備えることを特徴とする情報処理装置。
【発明の詳細な説明】
【技術分野】
【０００１】
本発明は、撮像装置及び情報処理装置に関する。
【背景技術】
【０００２】
現在、カメラの分野では、音声を認識する機能を持ったものがある。このようなカメラは、例えば、認識した音声から、「はい、チーズ」といった、予め設定されている言葉を抽出する。そして、抽出された言葉が発話されたタイミングから一定の時間が経過した後、自動的にシャッターが押下されるように動作する。
上記したカメラは、例えば、特許文献１に記載されている。特許文献１記載の発明によれば、カメラの操作者は、被写体の動作に合わせた自然な写真を撮影することが可能になる。また、特許文献１には、発話のタイミングからシャッターが押下されるまでの時間（以下、遅延時間と記す）を任意に設定することが記載されている。
【先行技術文献】
【特許文献】
【０００３】
【特許文献１】特開平１−１９１８４０号公報
【発明の概要】
【発明が解決しようとする課題】
【０００４】
しかしながら、上記した公知のカメラは、発話してから一定の時間が経過した後の時刻に撮像が開始されるものである。そのため、既に撮像タイミングを逃してしまった場合には対処できない。
撮像タイミングを逃さない方法として、ユーザが指示したタイミングにおける撮像以外にも静止画を自動で撮像しておき、自動撮像した画像をメモリに記憶させておく方法が考えられる。しかし、この方法の場合、ユーザは自動撮像された大量の画像の中から自分の望む画像を探し出す必要があり、ユーザに多大な手間を強いることとなる。
本発明は、このような点に鑑みてなされたものであり、撮像タイミングを逃すことなく、且つ、ユーザに多大な手間を強いることなくユーザが望む画像を提示することが可能な撮像装置及び情報処理装置を提供することにある。
【課題を解決するための手段】
【０００５】
本発明の一態様は、取得した音声を音声データとして出力する音声取得部（例えば図１に示す音声取得部１０２）と、ユーザの撮像指示により静止画を撮像する機能と、ユーザの撮像指示以外に自動で静止画を撮像する機能と、を有する撮像部（例えば図１に示す撮像部１０１）と、を備える撮像装置であって、前記撮像部が自動で連続して撮像した静止画の画像データが記憶される仮画像蓄積部（例えば図１に示す仮画像蓄積部１０４）と、音声情報と遅延時間情報とが関連付けられた撮像タイミングデータが記憶された撮像タイミングデータ記憶部（例えば図１に示す撮像タイミングデータ記憶部２０１）と、前記音声取得部が出力する前記音声データに基づいて、前記撮像タイミングデータ記憶部に記憶された複数の撮像タイミングデータの中から、前記音声取得部が出力する前記音声データに対応する音声情報が含まれる撮像タイミングデータを指定する撮像タイミングデータ指定部（例えば図１に示す撮像タイミングデータ指定部２０２）と、前記音声データから音声の開始、音声の終了、音声認識処理の開始、音声認識処理の終了の何れかを示す音声イベントを検出する音声イベント検出部（例えば図１に示す音声イベント検出部２０３）と、前記音声イベントと前記撮像タイミングデータ指定部により指定された前記撮像タイミングデータの遅延時間に基づき、前記仮画像蓄積部の中から前記音声イベントより前の時刻に撮像された静止画を選択する仮画像選択部（例えば図１に示す仮画像選択部２０４）と、を備えることを特徴とする撮像装置、である。【０００６】
前記音声イベント検出部は前記音声データから音声の開始または終了を示す音声イベントを検出するようになっていてよい。
前記撮像部が撮像する静止画を表示する画像表示部（例えば図１に示す画像表示部２０５）と、前記撮像部が撮像する静止画を記憶する画像記憶部（例えば図１に示す画像記憶部１０３）と、をさらに備えていてよい。
前記画像表示部は、前記仮画像蓄積部に記憶される静止画のうち、前記仮画像選択部が選択した静止画と、前記仮画像選択部が選択した静止画が撮像された時刻の前後の時刻に撮像された静止画と、を表示するようになっていてよい。
前記画像記憶部は、前記画像表示部が表示する静止画の中からユーザが指定した静止画の画像データを記憶するようになっていてよい。【０００７】
さらに、前記画像表示部が表示する静止画の中からユーザが指定した静止画が撮像された時刻と、前記音声イベント検出部によって検出された音声イベントと、の発生時間差である遅延時間を計測する遅延時間計測部（例えば図４に示す遅延時間計測部２１１）と、前記遅延時間計測部によって計測された遅延時間に関する遅延時間情報と、前記音声取得部が出力する前記音声データに基づく音声情報とを関連付けた撮像タイミングデータを生成する撮像タイミングデータ生成部（例えば図４に示す撮像タイミングデータ生成部２１２）と、を備え、前記撮像タイミングデータ記憶部は、前記撮像タイミングデータ生成部が生成する前記撮像タイミングデータが記憶されるようになっていてよい。【０００８】
前記撮像部のユーザの撮像指示による撮像の撮像開始イベントを検出する撮像開始イベント検出部（例えば図５に示す撮像開始イベント検出部２２１）と、前記撮像開始イベント検出部によって検出された撮像開始イベントと、前記音声イベント検出部によって検出された音声イベントと、の発生時間差である遅延時間を計測する遅延時間計測部（例えば図５に示す遅延時間計測部２２２）と、前記遅延時間計測部によって計測された遅延時間に関する遅延時間情報と、前記音声取得部が出力する前記音声データに基づく音声情報と、を関連付けた撮像タイミングデータを生成する撮像タイミングデータ生成部（例えば図５に示す撮像タイミングデータ生成部２２３）と、を備え、前記撮像タイミングデータ記憶部は、前記撮像タイミングデータ生成部が生成する前記撮像タイミングデータが記憶されるようになっていてよい。【０００９】
前記音声イベント検出部が検出する前記音声イベントと、前記撮像タイミングデータ指定部により指定された前記撮像タイミングデータの遅延時間とに基づき、前記撮像部の撮像タイミングを設定する撮像動作設定部（例えば図６に示す撮像動作設定部２３１）、を備えていてよい。
前記撮像動作設定部は、前記撮像タイミングを前記音声イベントより後の時刻にタイミングを設定するようになっていてよい。
前記撮像動作設定部が設定する前記撮像タイミングにしたがって前記撮像部が撮像したデータが前記画像記憶部に保存されなかった場合、前記撮像タイミングデータ指定部によって指定された前記撮像タイミングデータに含まれる遅延時間情報を修正する遅延時間修正部（例えば図７に示す遅延時間修正部２４１）を備えていてよい。【００１０】
本発明の他の態様は、取得した音声を音声データとして出力する音声取得部（例えば図９に示す音声取得部１０２）と、ユーザの撮像指示により静止画を撮像する機能を有する撮像部（例えば図９に示す撮像部１０１）と、を備える撮像装置に組込まれる情報処理装置（例えば図９に示す情報処理装置１００）であって、前記音声取得部から出力される音声データから音声の開始または終了を示す音声イベントを検出する音声イベント検出部（例えば図９に示す音声イベント検出部２０３）と、ユーザの撮像指示による撮像部の撮像開始イベントを検出する撮像開始イベント検出部（例えば図９に示す撮像開始イベント検出部２２１）と、撮像開始イベント検出部によって検出された撮像開始イベントと、音声イベント検出部によって検出された音声イベントと、の発生時間差である遅延時間を計測する遅延時間計測部（例えば図９に示す遅延時間計測部２２２）と、遅延時間計測部によって計測された遅延時間に関する遅延時間情報と、音声取得部が出力する音声データに基づく音声情報とを関連付けた撮像タイミングデータを生成する撮像タイミングデータ生成部（例えば図９に示す撮像タイミングデータ生成部２２３）と、前記撮像タイミングデータ生成部によって生成された撮像タイミングデータが記憶される撮像タイミングデータ記憶部（例えば図９に示す撮像タイミングデータ記憶部２０１）と、を備えることを特徴とする情報処理装置、である。
【発明の効果】
【００１１】
本発明の一態様によれば、撮像タイミングを逃すことなく、且つ、ユーザに多大な手間を強いることなくユーザが望む画像を提示することが可能な撮像装置及び情報処理装置を提供することが可能となる。
【図面の簡単な説明】
【００１２】
【図１】本発明の第１実施形態の撮像装置の構成を説明するための機能ブロック図の一例である。
【図２】本発明の第１実施形態の撮像タイミングデータを例示した図である。
【図３】本発明の第１実施形態の撮像装置の動作を説明するためのフローチャートの一例である。
【図４】本発明の第２実施形態の撮像装置の構成を説明するための機能ブロック図の一例である。
【図５】本発明の第３実施形態の撮像装置の構成を説明するための機能ブロック図の一例である。
【図６】本発明の第４実施形態の撮像装置の構成を説明するための機能ブロック図の一例である。
【図７】本発明の第５実施形態の撮像装置の構成を説明するための機能ブロック図の一例である。
【図８】本発明の第６実施形態の撮像装置の構成を説明するための機能ブロック図の一例である。
【図９】本発明の第７実施形態の情報処理装置の構成を説明するための機能ブロック図の一例である。
【発明を実施するための形態】
【００１３】
以下、本発明の第１〜第７実施形態を説明する。
（第１実施形態）
図１は、第１実施形態の撮像装置１０の構成を説明するための機能ブロック図の一例である。なお、第１実施形態の撮像装置１０は、静止画像を撮像するカメラであるものとする。
【００１４】
（撮像装置の構成）
図１に示した構成は、撮像装置１０に組み込まれたカメラ部１と、撮像システム２とを示している。カメラ部１は、主にハードウェア構成である。また、撮像システム２は、図示しない撮像装置１０のメモリに保存されているデータと、撮像装置１０の図示しないＣＰＵ（Central Processing Unit）やメモリを有する公知のマイクロコンピュータによって構成されている。
【００１５】
（カメラ部１）
図１に示したように、カメラ部１は、撮像部１０１、発話等によって生じる音声のデータ（音声データ）を取得する音声取得部１０２、撮像された画像のデータを記憶する画像記憶部１０３と、仮画像蓄積部１０４と、を備えている。なお、「発話等」には発話の他、犬笛など音を発する道具から発せられる音声を含むものとする。
【００１６】
（撮像部１０１）
撮像部１０１はレンズやその制御部によって構成される。撮像部１０１は、ユーザの撮像指示により静止画を撮像する機能と、ユーザの撮像指示以外に自動で連続して静止画を撮像する機能と、の両方の機能を備えている。自動で連続して静止画を撮像する機能は、常に動作していてもよく、また、ユーザの指示に基づいて動作が開始されてもよい。
【００１７】
（音声取得部１０２）
音声取得部１０２は、アナログ入力された音声をデジタルに変換して解析した結果を音声データとして出力する。具体的には、音声取得部１０２は、音声を入力し、入力された音声に対してアナログデジタル変換を行った後に、フーリエ変換等を使って解析し、音声データにする構成を備える。この音声データに対して隠れマルコフモデル（以下「ＨＭＭ」と呼ぶ）を利用して音声認識処理を行うことにより、予め定められた音素列の中で最も尤もらしい音素列を抽出することができる。第１実施形態では、一例として、この抽出された音素列（あるいは発音記号列の場合も想定できる）を音声情報としている。なお、ＨＭＭによる音声認識処理は、公知の技術であるから、これ以上の詳細な説明を省くものとする。第１実施形態でいう音声データとは、音声をアナログデジタル変換した後に、フーリエ変換等を使って解析したデータ群である。
【００１８】
（画像記憶部１０３）
画像記憶部１０３は、画像をデータとして蓄積するメモリと、このメモリの動作を制御するプログラムとから構成される。
画像記憶部１０３は、撮像部１０１が撮像した画像を非一時的に保存する。具体的には、ユーザの撮像指示により撮像部１０１が撮像した静止画や後述の仮画像蓄積部１０４に記憶された静止画の中からユーザが選択した画像などが画像記憶部１０３に非一時的なデータとして記憶される。画像記憶部１０３には、撮像部１０１が撮像した静止画の画像データとその静止画が撮像された時刻とが対応付けて記憶されるようになっていてもよい。
【００１９】
（仮画像蓄積部１０４）
仮画像蓄積部１０４は、画像をデータとして蓄積するメモリと、このメモリの動作を制御するプログラムとから構成される。
仮画像蓄積部１０４には、撮像部１０１が自動で撮像した静止画の画像データと撮像した時刻とが対応づけられたデータが記憶される。仮画像蓄積部１０４に記憶されるデータはメモリ容量の観点から、一定時間後に破棄されることが好ましい。この一定時間は、後述の撮像タイミングデータ記憶部２０１に記憶される遅延時間を考慮して設定されることが好ましい。
【００２０】
上述の「撮像した時刻」は、例えば、カメラが内蔵する時計により計測される。
なお、この「撮像した時刻」とはカメラが内蔵する時計により計測された時刻そのもの（絶対時刻）でもよいし、カメラ起動時や撮像開始時点を起点とした経過時間（相対時間）でもよい。
また同様に、メモリ容量や処理量の観点から、撮像部１０１が自動で撮像した静止画は、ユーザの撮像指示により撮像した静止画よりも画質（解像度・フォーカス）を落として仮画像蓄積部１０４に記憶されることが好ましい。
【００２１】
また、メモリ容量や処理量の観点から、撮像部１０１が自動で撮像した静止画の仮画像蓄積部１０４への記憶は、後述する音声イベント検出部２０３により音声イベントが検出される前の時刻でのみ記憶され、音声イベントが検出された後には記憶されないことが好ましい。
撮像システム２は、撮像タイミングデータ記憶部２０１と、撮像タイミングデータ指定部２０２と、音声イベント検出部２０３と、仮画像選択部２０４と、画像表示部２０５と、から構成される。
【００２２】
（撮像タイミングデータ記憶部２０１）
撮像タイミングデータ記憶部２０１には、音声情報と遅延時間情報とが関連付けられた撮像タイミングデータが記憶されている。図２は、撮像タイミングデータを例示した図である。図２に示した撮像タイミングデータは、遅延時間に関する情報である遅延時間情報と、音声に関する音声情報（たとえば音素列や発音記号列）とそのＩＤ番号で構成される。なお、第１実施形態では、音声に関する音声情報とそのＩＤ番号の組を音声認識辞書データとする。
【００２３】
図２に示した撮像タイミングデータでは、ＩＤ番号１の音声認識辞書データとして、「戻って」を発話して得られる音声情報（たとえば発音記号列「もどって」）が格納され、撮像タイミングデータはこのＩＤ番号１に「−２秒」の遅延時間情報を対応付けて構成されている。
また、ＩＤ番号２の音声認識辞書データとして、「ちょっと戻って」を発話して得られる音声情報（たとえば発音記号列「ちょっともどって」）が格納され、撮像タイミングデータはこのＩＤ番号２に「−１秒」の遅延時間情報を対応付けて構成されている。
【００２４】
撮像タイミングデータには、遅延時間情報がマイナスのものだけではなくプラスのものが含まれてもよい。例えば、ＩＤ番号３の音声認識辞書データとして、「チーズ」を発話して得られる音声情報（たとえば発音記号列「ちいず」）が格納され、撮像タイミングデータはこのＩＤ番号３に「＋２秒」の遅延時間情報を対応付けて構成されていてもよい。
【００２５】
（撮像タイミングデータ指定部２０２）
音声取得部１０２が出力する音声データと、撮像タイミングデータに含まれる（ＩＤ番号で紐付けられた）音声情報とに基づいて、撮像タイミングデータ記憶部２０１が記憶する複数の撮像タイミングデータの中から、音声取得部１０２が出力する音声データを音声認識処理した結果最も尤もらしい音声情報が含まれる一つの撮像タイミングデータを指定する。
音声取得部１０２の出力から得られる音声データから最も尤もらしい音声情報を選出する音声認識処理についてはＨＭＭを利用した音声認識処理における尤度比較など公知の方法を用いればよいので、説明を省略する。
【００２６】
（音声イベント検出部２０３）
音声イベント検出部２０３は、音声データから音声の開始、音声の終了、音声認識処理の開始、音声認識処理の終了の何れかを示す音声イベントを検出する。具体的には、音声イベント検出部２０３は、音声取得部１０２が出力する音声データを受け取り、音声イベントと音声イベントが発生した時刻とを検出する。本明細書では、発話等の開始を発話開始イベントとし、発話等の終了を発話終了イベントとし、音声認識処理の開始を音声認識処理開始イベントとし、音声認識処理の終了を音声認識処理終了イベントとする。そして、これら発話開始イベントと発話終了イベントと音声認識処理開始イベントと音声認識処理終了イベントとを合わせて音声イベントとする。
【００２７】
第１実施形態では、音声イベント検出部２０３は、音声取得部１０２が出力する音声データ（音声信号）のエネルギーまたはエネルギーの変化の度合いが初めて第１の閾値を超えたことを発話等の開始として検知する。また、音声信号のエネルギーまたはエネルギーの変化の度合いが第２の閾値を下回ることを発話等の終了として検知し、その時刻を出力する。
【００２８】
発話開始イベントと同時または前記第１の閾値を超えることを一定回数連続して検出したことを以て音声認識処理開始イベントとし、また発話終了イベントと同時または発話終了イベントから一定時間経過した後に処理結果を確定したタイミングを以て音声認識処理終了イベントとし、それらの時刻を出力する。
なお、音声イベント検出部２０３が検出する音声イベントとして、発話開始イベントと発話終了イベントと音声認識処理開始イベントと音声認識処理終了イベントが挙げられるが、音声イベントとしては、発話開始イベントと発話終了イベントのどちらかを使用することが好ましい。これは、発話開始イベントと発話終了イベントのどちらかを使用した場合の方がよりユーザが望む画像を提示する可能性が高くなるためである。
【００２９】
（仮画像選択部２０４）
仮画像選択部２０４は、音声イベント検出部２０３が検出する音声イベントと撮像タイミングデータ指定部２０２が指定する撮像タイミングデータの遅延時間とに基づき、仮画像蓄積部１０４の中から音声イベントより前の時刻に撮像された静止画を選択する。
具体的には、仮画像選択部２０４は、仮画像蓄積部１０４に含まれる静止画のうち、音声イベント検出部２０３が検出する音声イベントの時刻から撮像タイミングデータ指定部２０２が指定する撮像タイミングデータの遅延時間分だけ遡った時刻に対し、最も近い時刻に撮像された静止画を選択する。ただし、必ずしも最も近い時刻に撮像された静止画のみを選択する必要はなく、多少時刻が前後した時刻に撮像された静止画も含めて選択しても良い。
【００３０】
（画像表示部２０５）
画像表示部２０５は撮像部１０１が撮像した静止画を表示する。画像表示部２０５には、仮画像蓄積部１０４に記憶される静止画のうち、仮画像選択部２０４が選択した１枚あるいは複数枚の静止画が表示される。
仮画像選択部２０４が選択した画像の他、仮画像蓄積部１０４に保存された静止画の一部又は全部を合わせて表示させてもよい。表示の際には、撮像された時刻の昇順または降順に表示させることが好ましい。
画像表示部２０５は、例えばタッチパネル機能など、表示された静止画をユーザが選択するための選択手段を備えており、表示された静止画をユーザが選択可能に構成されている。そして、画像表示部２０５に表示された静止画のうち、ユーザに選択された画像のデータは、画像記憶部１０３に送られ非一時的なデータとして画像記憶部１０３に記憶される。
【００３１】
次に、以上説明した撮像装置１０の動作を説明する。
図３は、第１実施形態の撮像装置１０の動作を説明するためのフローチャートである。
撮像装置１０では、先ず、ユーザのシステム起動の指示に基づき、撮像部１０１の自動連続撮像が開始される（ステップＳ５０１）。
自動連続撮像により撮像された画像は仮画像蓄積部１０４に記憶される（ステップＳ５０２）。
この状態からユーザが発音すると、音声取得部１０２によって音声が取得される（ステップＳ５０３）。
音声取得部１０２は取得した音声を解析し、音声データに変換し、音声データを音声イベント検出部２０３と撮像タイミングデータ指定部２０２に出力する（ステップＳ５０４）。
【００３２】
音声イベント検出部２０３は音声取得部１０２が出力する音声データを解析して音声イベントとその発生時刻を検出する。検出した音声イベントとその発生時刻を仮画像選択部２０４に送信する（ステップＳ５０５）。
撮像タイミングデータ指定部２０２は、撮像タイミングデータ記憶部２０１に記憶されている撮像タイミングデータに含まれる音声情報と音声取得部１０２が出力する音声データとを音声認識処理（HMMによる照合処理）する（ステップＳ５０６）。
【００３３】
そして、音声データに対応する音声情報を含む撮像タイミングデータが記憶されている場合（ステップＳ５０６：Ｙｅｓ）、この撮像タイミングデータを指定し、指定された撮像タイミングデータの遅延時間情報を仮画像選択部２０４に送信する（ステップＳ５０７）。
なお、対応する音声情報を含む撮像タイミングデータが記憶されていない場合は（ステップＳ５０６：Ｎｏ）音声取得処理（ステップＳ５０３）に戻る。
【００３４】
仮画像選択部２０４は、音声イベント検出部２０３が検出する音声イベントと撮像タイミングデータ指定部２０２が指定する撮像タイミングデータの遅延時間とに基づき、仮画像蓄積部１０４の中から音声イベントより前の時刻に撮像された静止画を選択する（ステップＳ５０８）。詳細には、仮画像選択部２０４に記憶される静止画の中から、音声イベント検出部２０３が検出する音声イベントの発生時刻から撮像タイミングデータ指定部２０２が指定する撮像タイミングデータの遅延時間分だけ遡った時刻と最も近い時刻に撮像された静止画（及びその前後の時刻に撮像された静止画数枚）を選択する。
画像表示部２０５は仮画像選択部２０４が選択した静止画を表示する（ステップＳ５０９）。
【００３５】
以上説明した第１実施形態の撮像装置１０によれば、静止画を連続して自動で撮像し、これを記憶している。そして、ユーザが発した音声イベントよりも所定の遅延時間分だけ前の時刻に撮像された静止画が、画像表示部２０５に表示される。そのため、ユーザは画像表示部２０５に表示された静止画を参照することにより、発声したタイミングを起点とした所望の時刻における静止画を得ることができる。つまり、このような構成を採用することで、所望の撮像タイミング近傍の時刻における静止画を得ることができるため、撮像タイミングを逃すことなく、且つ、ユーザに多大な手間を強いることなくユーザが望む画像を提示することができる。
【００３６】
（第２実施形態）
次に、本発明の第２実施形態を説明する。
図４は、第２実施形態における撮像装置１０の構成を説明するための機能ブロック図の一例である。
第２実施形態における撮像装置１０は、撮像タイミングデータ記憶部２０１に記憶される撮像タイミングデータを好適に設定することが可能な撮像装置である。第２実施形態における撮像装置１０は、第１実施形態における撮像装置１０の構成に加え、遅延時間計測部２１１と、撮像タイミングデータ生成部２１２と、をさらに備える。遅延時間計測部２１１及び撮像タイミングデータ生成部２１２が追加されたことに伴い、撮像タイミングデータ記憶部２０１の処理が一部異なること以外は、第１実施形態における撮像装置１０と同様の機能構成を有するため、同一部の詳細な説明は省略する。
【００３７】
（遅延時間計測部２１１）
遅延時間計測部２１１は、画像表示部２０５が表示する複数枚の静止画の中からユーザが指定した静止画が撮像された時刻と、音声イベント検出部２０３によって検出された音声イベントと、の発生時間差である遅延時間を計測する。
具体的には、画像表示部２０５が表示する静止画の中からユーザが指定した静止画が撮像された時刻が、音声イベントが発生した時刻を基準に、３．５秒遡った時刻の画像であった場合、遅延時間計測部２１１はその「−３．５秒」という時刻を計測する。遅延時間計測部２１１は、計測した遅延時間を撮像タイミングデータ生成部２１２に出力する。
【００３８】
（撮像タイミングデータ生成部２１２）
撮像タイミングデータ生成部２１２は、遅延時間計測部２１１によって計測された遅延時間と、音声取得部１０２が出力する音声データに基づく音声情報とを関連付けた撮像タイミングデータを生成する。
具体的には、ユーザが音声取得部１０２に対し「戻って」と発話した場合、「戻って」という発話に対応する音声情報（たとえば発音記号列「もどって」）が音声取得部１０２から撮像タイミングデータ生成部２１２に出力され、さらに、遅延時間計測部２１１が計測した遅延時間（例えば、「−３．５秒」）が遅延時間計測部２１１から撮像タイミングデータ生成部２１２に出力される。
撮像タイミングデータ生成部２１２は、発音記号列「もどって」と「−３．５秒」とを関連付けた撮像タイミングデータを生成する。生成された撮像タイミングデータは撮像タイミングデータ記憶部２０１に出力され、撮像タイミングデータ記憶部２０１に記憶される。
【００３９】
（撮像タイミングデータ記憶部２０１）
この第２実施形態における撮像タイミングデータ記憶部２０１は、撮像タイミングデータ生成部２１２が生成した撮像タイミングデータを記憶する。撮像タイミングデータ記憶部２０１内に、撮像タイミングデータ生成部２１２が生成した撮像タイミングデータが保有する音声情報と同様の音声情報を保有する撮像タイミングデータが既に記憶されている場合、撮像タイミングデータ記憶部２０１は、その同様の音声情報を保有する撮像タイミングデータの遅延時間情報を撮像タイミングデータ生成部２１２が生成した撮像タイミングデータの遅延時間情報に修正してもよい。
【００４０】
具体的には、例えば、撮像タイミングデータ記憶部２０１内に、既に音声情報である発音記号列「もどって」と遅延時間情報である「−２．０秒」とが関連づけられた撮像タイミングデータが記憶されているものとする。さらに、撮像タイミングデータ生成部２１２が生成した撮像タイミングデータが、音声情報である発音記号列「もどって」と遅延時間情報である「−３．５秒」とが関連づけられた撮像タイミングデータであるとする。
この場合、撮像タイミングデータ記憶部２０１は、音声情報である発音記号列「もどって」の遅延時間情報を「−２．０秒」から「−３．５秒」にその内容を修正する。
第２実施形態の構成を採用することで、撮像タイミングデータ記憶部２０１に記憶される撮像タイミングデータを各ユーザに適した好適な条件に設定することが可能となる。
【００４１】
（第３実施形態）
次に、本発明の第３実施形態を説明する。
図５は、第３実施形態における撮像装置１０の構成を説明するための機能ブロック図の一例である。
第３実施形態における撮像装置１０は、撮像タイミングデータ記憶部２０１に記憶される撮像タイミングデータを好適に設定することが可能な撮像装置である。第３実施形態における撮像装置１０は、第１実施形態における撮像装置１０の構成に加え、撮像開始イベント検出部２２１と、遅延時間計測部２２２と、撮像タイミングデータ生成部２２３と、をさらに備える。撮像開始イベント検出部２２１と、遅延時間計測部２２２と、撮像タイミングデータ生成部２２３とが追加されたことに伴い、撮像タイミングデータ記憶部２０１の処理が一部異なること以外は、第１実施形態における撮像装置１０と同様の機能構成を有するため、同一部の詳細な説明は省略する。
【００４２】
（撮像開始イベント検出部２２１）
撮像開始イベント検出部２２１はユーザの撮像指示による撮像部１０１の撮像開始イベントとその時刻を検出する。撮像開始イベントの具体例としては、撮像部１０１のシャッターがユーザにより手動で押下されることなどが該当する。
【００４３】
（遅延時間計測部２２２）
遅延時間計測部２２２は、撮像開始イベント検出部２２１によって検出された撮像開始イベントと、音声イベント検出部２０３によって検出された音声イベントと、の発生時間差である遅延時間を計測する。
具体例としては、ユーザが「チーズ」と発話してから２秒後に、撮像部１０１のシャッターがユーザにより手動で押下された場合、音声イベントと撮像開始イベントとの発生時間差である「２秒」が遅延時間計測部２２２によって計測される。
【００４４】
（撮像タイミングデータ生成部２２３）
撮像タイミングデータ生成部２２３は、遅延時間計測部２２２によって計測された遅延時間と、音声取得部１０２が出力する音声データとを関連付けた撮像タイミングデータを生成する。
具体的には、ユーザが音声取得部１０２に対し「チーズ」と発話した場合、「チーズ」という発話に対応する音声情報（たとえば発音記号列「ちいず」）が音声取得部１０２から撮像タイミングデータ生成部２２３に出力される。さらに、遅延時間計測部２２２が計測した遅延時間（例えば、「２秒」）が遅延時間計測部２２２から撮像タイミングデータ生成部２２３に出力される。
撮像タイミングデータ生成部２２３は、発音記号列「ちいず」と「＋２秒」とを関連付けた撮像タイミングデータを生成する。生成された撮像タイミングデータは撮像タイミングデータ記憶部２０１に記憶される。
【００４５】
（撮像タイミングデータ記憶部２０１）
撮像タイミングデータ記憶部２０１は撮像タイミングデータ生成部２２３が生成した撮像タイミングデータを記憶する。撮像タイミングデータ記憶部２０１内に、撮像タイミングデータ生成部２２３が生成した撮像タイミングデータが保有する音声情報と同様の音声情報を保有する撮像タイミングデータが既に記憶されている場合、撮像タイミングデータ記憶部２０１はその同様の音声情報を保有する撮像タイミングデータの遅延時間情報を撮像タイミングデータ生成部２２３が生成した撮像タイミングデータの遅延時間情報に修正してもよい。
第３実施形態における撮像装置１０の構成を採用することで、撮像タイミングデータ記憶部２０１に記憶される撮像タイミングデータを各ユーザに適した好適な条件に設定することが可能となる。
【００４６】
（第４実施形態）
次に、本発明の第４実施形態を説明する。
第４実施形態における撮像装置１０は、第１〜第３実施形態の何れかの実施形態における撮像装置１０の構成に加え、撮像動作設定部２３１をさらに備える。
ここでは、第１実施形態における撮像装置１０において、さらに撮像動作設定部２３１を備える場合について説明する。なお、第１実施形態における撮像装置１０と同一部には同一符号を付与し、その詳細な説明は省略する。
図６は、第４実施形態における撮像装置１０の構成を説明するための機能ブロック図の一例である。
【００４７】
（撮像動作設定部２３１）
撮像動作設定部２３１は、音声イベント検出部２０３が検出する音声イベントと、撮像タイミングデータ指定部２０２により指定された撮像タイミングデータの遅延時間とに基づき、撮像部１０１の撮像タイミングを設定する。
以下、具体的に説明する。
ここで、撮像タイミングデータ記憶部２０１に、ユーザが「チーズ」を発話して得られる音声情報（たとえば発音記号列「ちいず」）と、それに対応する遅延時間情報（例えば「＋２秒」）が対応付けられた撮像タイミングデータが記憶されているとする。
そして、ユーザが音声取得部１０２に対して「チーズ」を発話すると、音声取得部１０２は「チーズ」に対応する音声データを音声イベント検出部２０３と、撮像タイミングデータ指定部２０２と、に出力する。
【００４８】
音声イベント検出部２０３は、音声取得部１０２から出力される音声データを用いて音声イベントとその時刻を検出する。検出した音声イベントの時刻を撮像動作設定部２３１に出力する。
撮像タイミングデータ指定部２０２は、音声取得部１０２が出力する音声データと、撮像タイミングデータに含まれる音声情報とに基づいて音声認識処理を行い、撮像タイミングデータ記憶部２０１が記憶する複数の撮像タイミングデータの中から最も尤もらしい音声情報を持つ撮像タイミングデータを指定し、その撮像タイミングデータに含まれる遅延時間を撮像動作設定部２３１に出力する。本具体例では、「＋２秒」という遅延時間が撮像動作設定部２３１に出力される。
【００４９】
撮像動作設定部２３１は、音声イベントの発生時刻から２秒経過した時刻に撮像するように撮像部１０１に指令を与える。この時、音声イベントの発生時刻から遅延時間経過後の前後の時刻においても撮像するように撮像部１０１に指令を与えてもよい。
撮像動作設定部２３１が撮像タイミングを設定する場合は、撮像タイミングデータ指定部２０２により指定された撮像タイミングデータの遅延時間が正の場合、つまり、音声イベントより後の時刻に撮像タイミングが設定されることとなる。撮像動作設定部２３１の指令に基づき撮像部１０１が撮像した画像データは画像記憶部１０３に記憶される。撮像動作設定部２３１の指令に基づき撮像部１０１が撮像した画像データはユーザの望む画像である可能性が高いので、撮像動作設定部２３１の指令に基づき撮像部１０１が撮像した画像データは、撮像部１０１が自動連続撮像した画像データよりも高画質（解像度・フォーカス）のデータとすることが好ましい。
第４実施形態の構成を採用することで、音声イベントに応じて、好適なタイミングで自動的に撮像部１０１による撮像を行うことができる。
【００５０】
（第５実施形態）
次に、本発明の第５実施形態を説明する。
図７は、第５実施形態における撮像装置１０の構成を説明するための機能ブロック図の一例である。
第５実施形態における撮像装置１０は、第４実施形態における撮像装置１０の構成に加え、遅延時間修正部２４１をさらに備える。遅延時間修正部２４１を追加したことに伴い、画像記憶部１０３の処理が一部異なること以外は、第４実施形態における撮像装置１０と同様の機能構成を有するため、同一部の詳細な説明は省略する。
【００５１】
（画像記憶部１０３）
この第５実施形態における画像記憶部１０３は、撮像動作設定部２３１が撮像タイミングを設定し、撮像部１０１が撮像した画像を、画像データとして蓄積する。そして、撮像された画像が蓄積されたか、あるいは破棄されたかを検出することができる。
画像記憶部１０３は、画像データが蓄積されずに破棄された場合、画像破棄通知を遅延時間修正部２４１に通知する。
【００５２】
（遅延時間修正部２４１）
遅延時間修正部２４１は、撮像動作設定部２３１が設定する撮像タイミングにより撮像部１０１が撮像したデータが蓄積されなかった場合、撮像タイミングデータ指定部２０２によって指定された撮像タイミングデータに含まれる遅延時間情報を修正する。詳細には、遅延時間修正部２４１は、画像記憶部１０３から出力される画像破棄通知を受けると、撮像タイミングデータ記憶部２０１に記憶されている撮像タイミングデータのうち、撮像タイミングデータ指定部２０２が指定する撮像タイミングデータの遅延時間を修正する。
【００５３】
このような構成は、撮像された画像が破棄されたことにより、遅延時間が不適切であったことを推定するものである。そして、設定されている遅延時間の間に撮像部１０１のシャッターがユーザにより手動で押下されなかったことによって、現在設定されている遅延時間が適切な遅延時間よりも短かったと推定し、撮像タイミングデータの遅延時間を延長するように修正する。
そのため、撮像動作設定部２３１が設定する撮像タイミングを各ユーザに適した好適なタイミングに設定することができる。
【００５４】
また、第５実施形態では、撮像タイミングデータごとに、画像データが破棄または蓄積された回数や頻度を記録しておくようにしてもよい。そして、設定されている遅延時間について画像データが破棄された回数や頻度が閾値よりも低い場合、遅延時間を修正しないようにすることができる。このようにすれば、遅延時間とは異なる他の原因によってたまたま画像データが破棄された場合、適正に設定されていた遅延時間が変更されることを防ぐことができる。
【００５５】
さらに、上記した第５実施形態の遅延時間の延長は、例えば、修正前の遅延時間を一定の比率で大きくする、修正前の遅延時間に一定の時間を加算することによって実現できる。また、上記した一定の比率や一定の時間を、画像データが過去に破棄または保存された回数や頻度に応じて変更することもできる。変更は、画像データが破棄された回数が大きいほど一定の比率や一定の時間を大きく設定するように行ってもよい。
【００５６】
（第６実施形態）
次に、本発明の第６実施形態を説明する。
図８は、第６実施形態における撮像装置１０の構成を説明するための機能ブロック図の一例である。
第６実施形態における撮像装置１０は、第４実施形態又は第５実施形態における撮像装置１０の構成に加え、さらに画像解析部２５１を備える。ここでは、第４実施形態における撮像装置１０において、画像解析部２５１を追加した場合について説明する。
なお、画像解析部２５１を追加したことに伴い、撮像動作設定部２３１の処理が一部異なること以外は、第４実施形態における撮像装置１０と同様の機能構成を有するため、同一部の詳細な説明は省略する。
【００５７】
（画像解析部２５１）
画像解析部２５１は、撮像部１０１によって撮像された画像から、撮像対象の形態変化に関する形態変化情報を抽出する。形態変化とは、撮像対象の外観が変化することをいい、人物の表情の変化や動物の姿勢の変化が該当する。形態変化の検出は、撮像装置等の分野において公知の技術であるから、これ以上の説明を省く。
画像解析部２５１は、例えば、人物が笑顔になったことを検出すると、検出結果を撮像動作設定部２３１に通知する。
【００５８】
（撮像動作設定部２３１）
撮像動作設定部２３１は、画像解析部２５１から、人物が笑顔になったことが通知されると、撮像部１０１に撮像指示を通知する。この撮像指示は、撮像の開始の指示に該当し、撮像部１０１は撮像を開始する。
このような構成によれば、撮像動作設定部２３１は、設定した遅延時間が経過する間にも、人物が笑顔になったことや動物がカメラの方を見たり、芸をしたりすることを検出することができる。このため、撮像装置１０は、遅延時間を自動的に設定した場合であっても、遅延時間経過以前のシャッターチャンスを逃すことなく、適切なタイミングで撮像を開始することができる。
【００５９】
（第７実施形態）
次に、本発明の第７実施形態を説明する。
図９は、第７実施形態における情報処理装置１００の構成を説明するための機能ブロック図の一例である。
第７実施形態は、撮像装置等に組み込まれる情報処理装置１００に関するものであり、第３実施形態に記載された撮像装置１０において撮像タイミングデータを生成する処理を行う情報処理装置１００に着目した実施形態である。図９において、第３実施形態における図５に示す撮像装置１０と同一部には同一符号を付与し、その詳細な説明は省略する。
【００６０】
すなわち、第７実施形態は、アナログ入力された音声をデジタルに変換して解析した結果を音声データとして出力する音声取得部１０２と、ユーザの撮像指示により静止画を撮像する機能を有する撮像部１０１と、を備える撮像装置１０に組込まれる情報処理装置１００である。図９において、情報処理装置１００は、音声取得部１０２から出力される音声データから音声の開始または終了を示す音声イベントを検出する音声イベント検出部２０３と、ユーザの撮像指示による撮像部１０１の撮像開始イベントを検出する撮像開始イベント検出部２２１と、撮像開始イベント検出部２２１によって検出された撮像開始イベントと、音声イベント検出部２０３によって検出された音声イベントと、の発生時間差である遅延時間を計測する遅延時間計測部２２２と、遅延時間計測部２２２によって計測された遅延時間に関する遅延時間情報と、音声取得部１０２が出力する音声データに基づく音声情報とを関連付けた撮像タイミングデータを生成する撮像タイミングデータ生成部２２３と、前記撮像タイミングデータ生成部２２３によって生成された撮像タイミングデータが記憶される撮像タイミングデータ記憶部２０１と、を備えてなる。
【００６１】
音声取得部１０２と、撮像部１０１とに関する説明は第１実施形態に記載の説明と同様なので省略する。
音声イベント検出部２０３、遅延時間計測部２２２、撮像タイミングデータ生成部２２３、撮像タイミングデータ記憶部２０１に関する説明は第３実施形態に記載の説明と同様なので省略する。
第７実施形態の構成を採用することで、撮像タイミングデータ記憶部２０１に記憶される撮像タイミングデータを各ユーザに適した好適な条件に設定することが可能となる。
【符号の説明】
【００６２】
１０  撮像装置
１０１  撮像部
１０２  音声取得部
１０３  画像記憶部
１０４  仮画像蓄積部
２０１  撮像タイミングデータ記憶部
２０２  撮像タイミングデータ指定部
２０３  音声イベント検出部
２０４  仮画像選択部
２０５  画像表示部
２１１  遅延時間計測部
２１２  撮像タイミングデータ生成部
２２１  撮像開始イベント検出部
２２２  遅延時間計測部
２２３  撮像タイミングデータ生成部
２３１  撮像動作設定部
２４１  遅延時間修正部
２５１  画像解析部
【図１】
2013102979.tif 000003
【図２】
2013102979.tif 000004
【図３】
2013102979.tif 000005
【図４】
2013102979.tif 000006
【図５】
2013102979.tif 000007
【図６】
2013102979.tif 000008
【図７】
2013102979.tif 000009
【図８】
2013102979.tif 000010
【図９】
2013102979.tif 000011
【手続補正書】
【提出日】平成25年5月27日(2013.5.27)
【手続補正１】
【補正対象書類名】特許請求の範囲
【補正対象項目名】全文
【補正方法】変更
【補正の内容】
【特許請求の範囲】
【請求項１】
取得した音声を音声データとして出力する音声取得部と、
ユーザの撮像指示により静止画を撮像する機能と、ユーザの撮像指示以外に自動で静止画を撮像する機能と、を有する撮像部と、を備える撮像装置であって、
前記撮像部が自動で連続して撮像した静止画の画像データが記憶される仮画像蓄積部と、
音声情報と遅延時間情報とが関連付けられた撮像タイミングデータが記憶された撮像タイミングデータ記憶部と、
前記音声取得部が出力する前記音声データに基づいて、前記撮像タイミングデータ記憶部に記憶された複数の撮像タイミングデータの中から、前記音声取得部が出力する前記音声データに対応する音声情報が含まれる撮像タイミングデータを指定する撮像タイミングデータ指定部と、
前記音声データから音声の開始、音声の終了、音声認識処理の開始、音声認識処理の終了の何れかを示す音声イベントを検出する音声イベント検出部と、
前記音声イベントと前記撮像タイミングデータ指定部により指定された前記撮像タイミングデータの遅延時間に基づき、前記仮画像蓄積部の中から前記音声イベントより前の時刻に撮像された静止画を選択する仮画像選択部と、
を備えることを特徴とする撮像装置。
【請求項２】
前記音声イベント検出部は前記音声データから音声の開始または終了を示す音声イベントを検出することを特徴とする請求項１に記載の撮像装置。
【請求項３】
前記撮像部が撮像する静止画を表示する画像表示部と、
前記撮像部が撮像する静止画を記憶する画像記憶部と、
をさらに備えることを特徴とする請求項１又は請求項２に記載の撮像装置。
【請求項４】
前記画像表示部は、前記仮画像蓄積部に記憶される静止画のうち、前記仮画像選択部が選択した静止画と、前記仮画像選択部が選択した静止画が撮像された時刻の前後の時刻に撮像された静止画と、を表示することを特徴とする請求項３に記載の撮像装置。
【請求項５】
前記画像記憶部は、前記画像表示部が表示する静止画の中からユーザが指定した静止画の画像データを記憶することを特徴とする請求項３又は請求項４に記載の撮像装置。
【請求項６】
前記画像表示部が表示する静止画の中からユーザが指定した静止画が撮像された時刻と、前記音声イベント検出部によって検出された音声イベントと、の発生時間差である遅延時間を計測する遅延時間計測部と、
前記遅延時間計測部によって計測された遅延時間に関する遅延時間情報と、前記音声取得部が出力する前記音声データに基づく音声情報とを関連付けた撮像タイミングデータを生成する撮像タイミングデータ生成部と、を備え、
前記撮像タイミングデータ記憶部は、前記撮像タイミングデータ生成部が生成する前記撮像タイミングデータが記憶されることを特徴とする請求項３から請求項５の何れか１項に記載の撮像装置。
【請求項７】
前記撮像部のユーザの撮像指示による撮像の撮像開始イベントを検出する撮像開始イベント検出部と、
前記撮像開始イベント検出部によって検出された撮像開始イベントと、前記音声イベント検出部によって検出された音声イベントと、の発生時間差である遅延時間を計測する遅延時間計測部と、
前記遅延時間計測部によって計測された遅延時間に関する遅延時間情報と、前記音声取得部が出力する前記音声データに基づく音声情報とを関連付けた撮像タイミングデータを生成する撮像タイミングデータ生成部と、を備え、
前記撮像タイミングデータ記憶部は、前記撮像タイミングデータ生成部が生成する前記撮像タイミングデータが記憶されることを特徴とする請求項１から請求項５の何れか１項に記載の撮像装置。
【請求項８】
前記音声イベント検出部が検出する前記音声イベントと、前記撮像タイミングデータ指定部により指定された前記撮像タイミングデータの遅延時間とに基づき、前記撮像部の撮像タイミングを設定する撮像動作設定部、を備えることを特徴とする請求項６に記載の撮像装置。
【請求項９】
前記撮像動作設定部は、前記撮像タイミングを前記音声イベントより後の時刻のタイミングに設定することを特徴とする請求項８に記載の撮像装置。
【請求項１０】
前記撮像動作設定部が設定する前記撮像タイミングにしたがって前記撮像部が撮像したデータが前記画像記憶部に保存されなかった場合、前記撮像タイミングデータ指定部によって指定された前記撮像タイミングデータに含まれる遅延時間情報を修正する遅延時間修正部を備えることを特徴とする請求項８又は請求項９に記載の撮像装置。
【請求項１１】
取得した音声を音声データとして出力する音声取得部と、ユーザの撮像指示により静止画を撮像する機能を有する撮像部と、を備える撮像装置に組込まれる情報処理装置であって、
前記音声取得部から出力される音声データから音声の開始または終了を示す音声イベントを検出する音声イベント検出部と、
ユーザの撮像指示による撮像部の撮像開始イベントを検出する撮像開始イベント検出部と、
撮像開始イベント検出部によって検出された撮像開始イベントと、音声イベント検出部によって検出された音声イベントと、の発生時間差である遅延時間を計測する遅延時間計測部と、
遅延時間計測部によって計測された遅延時間に関する遅延時間情報と、音声取得部が出力する音声データに基づく音声情報とを関連付けた撮像タイミングデータを生成する撮像タイミングデータ生成部と、
前記撮像タイミングデータ生成部によって生成された撮像タイミングデータが記憶される撮像タイミングデータ記憶部と、
を備えることを特徴とする情報処理装置。
【手続補正２】
【補正対象書類名】明細書
【補正対象項目名】０００９
【補正方法】変更
【補正の内容】
【０００９】
前記音声イベント検出部が検出する前記音声イベントと、前記撮像タイミングデータ指定部により指定された前記撮像タイミングデータの遅延時間とに基づき、前記撮像部の撮像タイミングを設定する撮像動作設定部（例えば図６に示す撮像動作設定部２３１）、を備えていてよい。
前記撮像動作設定部は、前記撮像タイミングを前記音声イベントより後の時刻のタイミングに設定するようになっていてよい。
前記撮像動作設定部が設定する前記撮像タイミングにしたがって前記撮像部が撮像したデータが前記画像記憶部に保存されなかった場合、前記撮像タイミングデータ指定部によって指定された前記撮像タイミングデータに含まれる遅延時間情報を修正する遅延時間修正部（例えば図７に示す遅延時間修正部２４１）を備えていてよい。
【国際調査報告】
2013102979.tif 000012
2013102979.tif 000013